(57)【要約】【課題】複数の電極を用いて二次元コードを表示する場合に、電極に接続された配線を形成しやすくする。【解決手段】白色のセルドットと黒色のセルドットとの分布パターンによって情報が表現され、セルドットの分布パターンが情報によらずに固定な固定領域と、セルドットの分布パターンが情報に応じて可変となる可変領域とを有する二次元コードを表示する二次元コード表示媒体において、固定領域にて白色のセルドットを表示するための複数の固定領域用電極１２ａ〜１２ｃと、固定領域にて黒色のセルドットを表示するための複数の固定領域用電極１３ａ〜１３ｃと、可変領域にて白色または黒色のセルドットを表示するための可変領域用電極１６とを有し、固定領域用電極１２ａ〜１２ｃが１つの配線１４ａに接続されている。【選択図】図３
2011076380.tif 000002
【特許請求の範囲】
【請求項１】
複数のセルドットの分布パターン及び／または当該複数のセルドットが具備する色の配列順序によって情報が表現され、前記複数のセルドットの分布パターン及び／または当該複数のセルドットが具備する色の配列順序が前記情報によらずに固定な固定領域と、前記複数のセルドットの分布パターン及び／または当該複数のセルドットが具備する色の配列順序が前記情報に応じて可変となる可変領域とを有する二次元コードを表示する二次元コード表示媒体であって、
前記可変領域において前記複数のセルドットのそれぞれに対応してマトリックス状に配置された複数の可変領域用電極と、
前記固定領域において前記複数のセルドットの分布パターン及び／または当該複数のセルドットが具備する色の配列順序に応じた形状で配置された複数の固定領域用電極と、
前記可変領域用電極及び前記固定領域用電極に電位を印加するための配線と、
前記可変領域用電極及び前記固定領域用電極に対向して配置され、前記可変領域用電極及び前記固定領域用電極に印加された電位に応じて前記セルドットが具備する色を表示する情報表示手段とを有し、
前記複数の固定領域用電極は、同一の色を具備するセルドットに対応する複数の固定領域用電極が１つの配線に接続されている二次元コード表示媒体。
【請求項２】
請求項１に記載の二次元コード表示媒体において、
前記可変領域用電極及び前記固定領域用電極は、ベース基板の一方の面に形成され、
前記複数の固定領域用電極のうち、前記１つの配線に接続された複数の固定領域用電極に対応するセルドットとは異なる色を具備するセルドットに対応する複数の固定領域用電極は、前記ベース基板の一方の面に形成された第１の配線と、前記ベース基板の他方の面に形成され、前記ベース基板に形成された導通ホールを介して前記第１の配線に接続された第２の配線とによって互いに接続されている二次元コード表示媒体。
【発明の詳細な説明】
【技術分野】
【０００１】
本発明は、二次元コードを表示する二次元コード表示媒体に関し、特に、固定領域と可変領域とからなる二次元コードを表示する際の固定領域の表示技術に関する。
【背景技術】
【０００２】
従来より、物品を管理するためにバーコードが利用されている。このバーコードは、白色領域にて識別情報を複数本からなる黒色線の幅及び間隔で表したものであり、バーコードリーダで読み取ることにより識別情報を認識することができる。また、近年では、識別情報を、互いに異なる色に塗り分けられたドットで表されるセルの分布パターンで表現した二次元コードが利用されている。二次元コードは、上述したようなバーコードと比べて、ドットで表されるセルの分布パターンという二次元で識別情報を表現するものであることから、多くの情報を表現することができる。
【０００３】
このような二次元コードは、物品に直接印刷されたり、ラベルに印刷されて物品に貼付されたりして利用されている。そのため、一度印刷された二次元コードを変更することができず、二次元コードを変更する場合は、物品に二次元コードを印刷しなおしたり、変更した二次元コードが印刷されたラベルを貼りなおしたりしなければならない。
【０００４】
そこで、複数の電極をマトリックス状に配置するとともに、この複数の電極に対向するように表示媒体を配置し、その電極に印加する電位を用いて表示媒体の状態を変化させて情報を表示する情報表示パネルを用いて二次元コードを表示する技術が考えられている（例えば、特許文献１参照。）。
【先行技術文献】
【特許文献】
【０００５】
【特許文献１】特開２００６−２３４９１１号公報
【発明の概要】
【発明が解決しようとする課題】
【０００６】
上述したような情報表示パネルを用いて二次元コードを表示するものにおいては、二次元コードを表示するために、二次元コードを構成する１つのセルに対応する大きさを有する電極をマトリックス状に複数配置し、この複数の電極に選択的に電位を印加することになるため、二次元コードをダイレクト表示する場合、これら複数の電極にはそれぞれ電位を印加するための配線が接続されている必要がある。ところが、二次元コードを構成する１つのセルの大きさはドットからなるものであって、複数配線を配置することが困難となる程極めて小さいものであり、さらには、二次元コードの種類によっては、そのセルの数が極めて多く、これら複数の電極のそれぞれに接続された配線を配置することが困難となってしまうという問題点がある。特に、配線の形成には、一般的にエッチングや導電性インキを用いたスクリーン印刷が利用されるが、スクリーン印刷においては、インキが厚く盛られてしまうため、細かい配線を形成することが困難である。
【０００７】
ここで、上述したような二次元コードにおいては、その種類によって一義に決められた固定領域と、情報を識別するための可変領域とから構成されている。そこで、固定領域の表示を工夫することによって上述したような問題点を解決することを検討する。
【０００８】
本発明は、上述したような従来の技術が有する問題点に鑑みてなされたものであって、複数の電極を用いて二次元コードを表示する場合に、電極に接続された配線を形成しやすくすることができる二次元コード表示媒体を提供することを目的とする。
【課題を解決するための手段】
【０００９】
上記目的を達成するために本発明は、
複数のセルドットの分布パターン及び／または当該複数のセルドットが具備する色の配列順序によって情報が表現され、前記複数のセルドットの分布パターン及び／または当該複数のセルドットが具備する色の配列順序が前記情報によらずに固定な固定領域と、前記複数のセルドットの分布パターン及び／または当該複数のセルドットが具備する色の配列順序が前記情報に応じて可変となる可変領域とを有する二次元コードを表示する二次元コード表示媒体であって、
前記可変領域において前記複数のセルドットのそれぞれに対応してマトリックス状に配置された複数の可変領域用電極と、
前記固定領域において前記複数のセルドットの分布パターン及び／または当該複数のセルドットが具備する色の配列順序に応じた形状で配置された複数の固定領域用電極と、
前記可変領域用電極及び前記固定領域用電極に電位を印加するための配線と、
前記可変領域用電極及び前記固定領域用電極に対向して配置され、前記可変領域用電極及び前記固定領域用電極に印加された電位に応じて前記セルドットが具備する色を表示する情報表示手段とを有し、
前記複数の固定領域用電極は、同一の色を具備するセルドットに対応する複数の固定領域用電極が１つの配線に接続されている。
【００１０】
上記のように構成された本発明においては、複数のセルドットの分布パターン及び／または複数のセルドットが具備する色の配列順序によって情報が表現され、複数のセルドットの分布パターン及び／または複数のセルドットが具備する色の配列順序が情報によらずに固定な固定領域と、複数のセルドットの分布パターン及び／または複数のセルドットが具備する色の配列順序が情報に応じて可変となる可変領域とを有する二次元コードを表示する場合、可変領域において複数のセルドットのそれぞれに対応してマトリックス状に配置された複数の可変領域用電極や、固定領域において複数のセルドットの分布パターン及び／または複数のセルドットが具備する色の配列順序に応じた形状で配置された複数の固定領域用電極に印加された電位に応じて、情報表示手段において、セルドットが具備する色が表示されることにより、二次元コードの表示がなされるが、複数の固定領域用電極のうち、同一の色を具備するセルドットに対応する複数の固定領域用電極が１つの配線に接続されているので、複数の可変領域用電極及び複数の固定領域用電極のうち、そのセルドットに対応する複数の固定領域用電極においては、接続される配線が共有化され、それにより、複数の可変領域用電極及び複数の固定領域用電極に接続された配線の数が減少し、複数の可変領域用電極及び複数の固定領域用電極に接続された配線が形成しやすくなる。
【００１１】
また、可変領域用電極及び固定領域用電極がベース基板の一方の面に形成され、複数の固定領域用電極のうち、１つの配線に接続された複数の固定領域用電極に対応するセルドットとは異なる色を具備するセルドットに対応する複数の固定領域用電極が、ベース基板の一方の面に形成された第１の配線と、ベース基板の他方の面に形成され、ベース基板に形成された導通ホールを介して第１の配線に接続された第２の配線とによって互いに接続されている場合は、固定領域においてそのセルドットに対応する固定領域用電極が、上記１つの配線に接続された固定領域用電極に囲まれている場合であっても、上記１つの配線に接続された固定領域用電極の配線に影響を与えることなく、固定領域においてそのセルドットを表示するための複数の固定領域用電極を互いに接続された状態で１つの配線に接続することができる。
【発明の効果】
【００１２】
以上説明したように本発明においては、複数のセルドットの分布パターン及び／または複数のセルドットが具備する色の配列順序によって情報が表現され、複数のセルドットの分布パターン及び／または複数のセルドットが具備する色の配列順序が情報によらずに固定な固定領域と、複数のセルドットの分布パターン及び／または複数のセルドットが具備する色の配列順序が情報に応じて可変となる可変領域とを有する二次元コードを表示する二次元コード表示媒体において、可変領域において複数のセルドットのそれぞれに対応してマトリックス状に配置された複数の可変領域用電極と、固定領域において複数のセルドットの分布パターン及び／または複数のセルドットが具備する色の配列順序に応じた形状で配置された複数の固定領域用電極と、可変領域用電極及び固定領域用電極に電位を印加するための配線と、可変領域用電極及び固定領域用電極に対向して配置され、可変領域用電極及び固定領域用電極に印加された電位に応じて、セルドットが具備する色を表示する情報表示手段とを有し、複数の固定領域用電極のうち、１つのセルドットに対応する複数の固定領域用電極が１つの配線に接続されている構成としたため、複数の可変領域用電極及び複数の固定領域用電極のうち、そのセルドットに対応する複数の固定領域用電極においては、接続される配線が共有化され、それにより、複数の可変領域用電極及び複数の固定領域用電極に接続された配線の数が減少し、複数の可変領域用電極及び複数の固定領域用電極に接続された配線を形成しやすくすることができる。
【００１３】
また、可変領域用電極及び固定領域用電極がベース基板の一方の面に形成され、複数の固定領域用電極のうち、１つの配線に接続された複数の固定領域用電極に対応するセルドットとは異なる色を具備するセルドットに対応する複数の固定領域用電極が、ベース基板の一方の面に形成された第１の配線と、ベース基板の他方の面に形成され、ベース基板に形成された導通ホールを介して第１の配線に接続された第２の配線とによって互いに接続された構成としたものにおいては、固定領域においてそのセルドットに対応する固定領域用電極が、上記１つの配線に接続された固定領域用電極に囲まれている場合であっても、上記１つの配線に接続された固定領域用電極の配線に影響を与えることなく、固定領域においてそのセルドットを表示するための複数の固定領域用電極を互いに接続された状態で１つの配線に接続することができる。
【図面の簡単な説明】
【００１４】
【図１】本発明の二次元コード表示媒体によって表示される二次元コードの一例を示す図であり、（ａ）は表面図、（ｂ）は（ａ）に示した二次元コード１の固定領域と可変領域を示す図である。
【図２】本発明の二次元コード表示媒体の第１の実施の形態に用いられる配線電極基板の構成を示す図であり、（ａ）は表面から見た図、（ｂ）は（ａ）に示したＡ−Ａ’断面図である。
【図３】図２（ａ）に示した配線電極基板のＡ部拡大図である。
【図４】図２及び図３に示した配線電極基板を用いた二次元コード表示媒体の構成を示す図であり、（ａ）は表面から見た図、（ｂ）は（ａ）に示したＡ−Ａ’断面図、（ｃ）は（ｂ）に示したＡ部拡大図である。
【図５】図４に示した二次元コード表示媒体によって図１に示した二次元コードを表示する際の動作を説明するための図である。
【図６】本発明の二次元コード表示媒体の第２の実施の形態に用いられる配線電極基板の構成を示す図である。
【図７】図６に示した配線電極基板の詳細な構成を示す図であり、（ａ）は図６に示したＡ部拡大図、（ｂ）は（ａ）に示したＡ−Ａ’断面図である。
【発明を実施するための形態】
【００１５】
以下に、本発明の実施の形態について図面を参照して説明する。
【００１６】
まず、本発明の二次元コード表示媒体によって表示される二次元コードについて説明する。
【００１７】
図１は、本発明の二次元コード表示媒体によって表示される二次元コードの一例を示す図であり、（ａ）は表面図、（ｂ）は（ａ）に示した二次元コード１の固定領域と可変領域を示す図である。なお、図１に示した二次元コード１は、ＱＲコードと呼ばれるものである。
【００１８】
本例における二次元コードは図１に示すように、白色を具備するドットで表されるセルであるセルドット４と、黒色を具備するドットで表されるセルであるセルドット５とが、表現する情報に応じたパターンで分布して表示されたものである。このような二次元コード１は、二次元コード１の向きや位置を正しく認識するためにその３つの隅に位置検出パターン２ａが配置されており、この３つの位置検出パターン２ａはそれぞれ、一辺が３つのセルドット５からなる正方形を一辺が５つのセルドット４からなる口の字で取り囲み、さらに、これを一辺が７つのセルドット５からなる口の字で取り囲んで構成されている。また、位置検出パターン２ａの内側には、位置検出パターン２ａを他の領域から区別するために一辺が８つのセルドット４からなるＬ字型の分離パターン２ｂが配置されている。また、３つの分離パターン２ｂの外側のうち、３つの位置検出パターン２ａの最外周となる一辺が７つのセルドット５からなる口の字の二次元コード１の中心側の角部どうしを横方向と縦方向で結ぶ領域に、二次元コード１の型番を認識するためにセルドット４とセルドット５とが交互に並んだタイミングパターン２ｃが配置されている。また、二次元コード１の周囲には、二次元コード１を他の領域から区別するための白色からなるクワイエットゾーン２ｄが設けられている。これら、位置検出パターン２ａ、分離パターン２ｂ、タイミングパターン２ｃ及びクワイエットゾーン２ｄは、表現する情報によらずにセルドット４，５の分布パターンが固定となる固定領域２となり、二次元コード１の他の領域が、表現する情報に応じてセルドット４，５の分布パターンが可変となる可変領域３となっている。
【００１９】
（第１の実施の形態）
図２は、本発明の二次元コード表示媒体の第１の実施の形態に用いられる配線電極基板の構成を示す図であり、（ａ）は表面から見た図、（ｂ）は（ａ）に示したＡ−Ａ’断面図である。また、図３は、図２（ａ）に示した配線電極基板１０のＡ部拡大図である。なお、図２及び図３に示す配線電極基板１０は、図１に示した二次元コード１を表示するための二次元コード表示媒体に用いられるものであり、図２（ａ）に示すＡ部以外の構成においても、固定領域２及び可変領域３について図３に示すものと同様の構成を有している。
【００２０】
本形態における配線電極基板は図２に示すように、ベース基板１１の一方の面に固定領域用電極１２ａ，１２ｂ，１３ａ，１３ｂ及び可変領域用電極１６が形成されて構成されている。
【００２１】
固定領域用電極１２ａは、図１に示した分離パターン２ｂ及びクワイエットゾーン２ｄに対応する領域にて分離パターン２ｂ及びクワイエットゾーン２ｄと略同一の形状を有して配置されており、分離パターン２ｂ及びクワイエットゾーン２ｄにて白色を表示させるためのものである。固定領域用電極１３ｂは、位置検出パターン２ａにおいて一辺が３つのセルドット５からなる正方形と略同一の形状を有して配置され、位置検出パターン２ａにて黒色を表示させるためのものである。固定領域用電極１２ｂは、位置検出パターン２ａにおいて固定領域用電極１３ｂを取り囲んで一辺が５つのセルドット４からなる口の字と略同一の形状を有して配置され、位置検出パターン２ａにて白色を表示させるためのものである。固定領域用電極１３ａは、位置検出パターン２ａにおいて固定領域用電極１２ｂを取り囲んで一辺が７つのセルドット５からなる口の字と略同一の形状を有して配置され、位置検出パターン２ａにて黒色を表示させるためのものである。また、図３に示すように、図１に示した二次元コード１のタイミングパターン２ｃが配置された領域には、１つのセルドット４と略同一の形状を有し、タイミングパターン２ｃにて白色を表示させるための固定領域用電極１２ｃと、１つのセルドット５と略同一の形状を有し、タイミングパターン２ｃにて黒色を表示させるための固定領域用電極１３ｃとが交互に配置されている。すなわち、固定領域用電極１２ａ〜１２ｃは、二次元コード１の固定領域２においてセルドット４の分布パターンに応じた形状で配置されており、また、固定領域用電極１３ａ〜１３ｃは、二次元コード１の固定領域２においてセルドット５の分布パターンに応じた形状で配置されている。
【００２２】
可変領域用電極１６は、可変領域３において、複数のセルドット４，５のそれぞれに対応して１つのセルドット４，５と同一の形状を有してマトリックス状に配置されている。
【００２３】
また、図３に示すように、固定領域用電極１２ａと固定領域用電極１２ｂとは、固定領域用電極１３ａの一部が切断された領域に配置された配線１４ｂを介して互いに接続されており、また、固定領域用電極１２ａと固定領域用電極１２ｃとは、配線１４ｃを介して互いに接続されており、これら互いに接続された固定領域用電極１２ａ〜１２ｃは、１つの配線１４ａに接続されている。そして、配線１４ａには、接続端子１７ａが接続されており、この接続端子１７ａを介して電位が印加されることにより、固定領域用電極１２ａ〜１２ｃに同一の電位が印加されることになる。
【００２４】
また、固定領域用電極１３ａと固定領域用電極１３ｂとは、固定領域用電極１２ｂの一部が切断された領域に配置された配線１５ｂを介して互いに接続されており、これら互いに接続された固定領域用電極１３ａ，１３ｂは、固定領域用電極１２ａの一部が切断された領域に配置された１つの配線１５ａに接続され、配線１５ａには、接続端子１７ｂが接続されている。また、固定領域用電極１３ｃには、固定領域用電極１２ａの一部が切断された領域に配置された配線１５ｃを介して接続端子１７ｃが接続されている。そして、この接続端子１７ｂ，１７ｃを介して同一の電位が印加されることにより、固定領域用電極１３ａ〜１３ｃに同一の電位が印加されることになる。
【００２５】
なお、固定領域用電極１２ａ，１２ｂ，１３ａの切断された領域の切断幅、並びに、その領域に配置される配線１４ｂ，１５ａ〜１５ｃの幅は、固定領域用電極１２ａ，１２ｂ，１３ａの幅に対して微小なものであるため、これを用いて図１に示した二次元コード１を表示した場合に、読み取り動作に支障が生じることはない。
【００２６】
また、マトリックス状に配置された可変領域用電極１６は、それぞれ、可変領域用電極１６内に形成されたスルーホール（不図示）を介してベース基板１１の裏面に形成された個別配線（不図示）に接続されており、この個別配線にそれぞれ接続された接続端子（不図示）を介して電位が印加されることになる。
【００２７】
図４は、図２及び図３に示した配線電極基板１０を用いた二次元コード表示媒体の構成を示す図であり、（ａ）は表面から見た図、（ｂ）は（ａ）に示したＡ−Ａ’断面図、（ｃ）は（ｂ）に示したＡ部拡大図である。
【００２８】
本形態における二次元コード表示媒体は図４に示すように、図２及び図３に示した配線電極基板１０の固定領域用電極１２ａ〜１２ｃ，１３ａ〜１３ｃ及び可変領域用電極１６が形成された面に、情報表示手段である情報表示層２０と、透明基材である透明導電膜基板３０とが積層されて構成されている。透明導電膜基板３０は、ガラス等からなる透明基板３１の一方の面に透明電極（例えば、ＩＴＯ）３２が形成されて構成されており、また、情報表示層２０は、隔壁２１とシール層２４とで囲まれた領域に、帯電性粒子２３が分散した隔壁内液体２２が収容されて構成されている。そして、これら配線電極基板１０、情報表示層２０及び透明導電膜基板３０は、透明電極３２と固定領域用電極１２ａ〜１２ｃ，１３ａ〜１３ｃ及び可変領域用電極１６とが、隔壁２１とシール層２４とで囲まれた領域に収容された隔壁内液体２２を介して対向するように積層されている。なお、隔壁２１は、底部と、情報表示層２０の外周部となる側部と、側部で囲まれた領域を複数の領域に区画するための壁部とからなり、底部とは反対側の面が開口した形状となっている。そして、底部側が透明導電膜基板３０に対向するように積層されており、開口した側にシール層２４が積層されている。
【００２９】
また、透明導電膜基板３０は、固定領域用電極１２ａ〜１２ｃ，１３ａ〜１３ｃ及び可変領域用電極１６に対向しない領域に、例えば黒色等のマスク印刷３３が施されており、それにより、配線電極基板１０に形成された配線１４ａ，１５ａ，１５ｃの一部が透明導電膜基板３０を介して視認されないようになっている。
【００３０】
以下に、上記のように構成された二次元コード表示媒体による二次元コード表示について説明する。
【００３１】
図５は、図４に示した二次元コード表示媒体によって図１に示した二次元コードを表示する際の動作を説明するための図である。
【００３２】
図４に示した二次元コード表示媒体によって図１に示した二次元コードを表示する場合、例えば、透明電極３２をＧＮＤ電位とし、また、ベース基板１１に形成された固定領域用電極１２ａ〜１２ｃ，１３ａ〜１３ｃ及び可変領域用電極１６のうち、固定領域２にて白色のセルドット４を表示するための固定領域用電極１２ａ〜１２ｃと、可変領域３にて表現したい情報に応じて白色のセルドット４を表示するための可変領域用電極１６をマイナス電位とするとともに、固定領域２にて黒色のセルドット５を表示するための固定領域用電極１３ａ〜１３ｃと、可変領域３にて表現したい情報に応じて黒色のセルドット５を表示するための可変領域用電極１６をプラス電位とする。これは、配線１４ａを介して固定領域用電極１２ａ〜１２ｃに接続された接続端子１７ａにマイナス電位が印加され、配線１５ａを介して固定領域用電極１３ａ，１３ｂに接続された接続端子１７ｂ、並びに配線１５ｃを介して固定領域用電極１３ｃに接続された接続端子１７ｃにプラス電位が印加され、また、可変領域用電極１６にスルーホールを介して接続された個別配線に接続された接続端子にプラス電位あるいはマイナス電位が選択的に印加されることにより行われる。この際、配線電極基板１０には、二次元コード１の固定領域２において白色を表示するための複数の固定領域用電極１２ａ〜１２ｃが形成されているが、複数の固定領域用電極１２ａ〜１２ｃは、上述したように配線１４ｂ，１４ｃによって互いに接続された状態で１つの配線１４ａに接続されているため、複数の固定領域用電極１２ａ〜１２ｃが接続される配線が共有化され、それにより、固定領域用電極１２ａ〜１２ｃ，１３ａ〜１３ｃ及び可変領域用電極１６に接続された配線の数が減少し、固定領域用電極１２ａ〜１２ｃ，１３ａ〜１３ｃ及び可変領域用電極１６に接続された配線を形成しやすくすることができる。これにより、固定領域２に配置された複数の固定領域用電極１２ａ〜１２ｃには、１つの接続端子１７ａを介して電位を印加することにより同一の電位が印加されることになる。なお、配線の形成には、一般的にエッチングや導電性インキを用いたスクリーン印刷が利用されるが、スクリーン印刷においては、インキが厚く盛られてしまうため、細かい配線を形成することが困難である。そのため、スクリーン印刷によって配線を形成する場合、上述したように、固定領域用電極１２ａ〜１２ｃ，１３ａ〜１３ｃ及び可変領域用電極１６に接続された配線の数が減少することにより、配線を形成しやすくすることの効果が得られやすくなる。
【００３３】
このように、透明電極３２がＧＮＤ電位とされ、固定領域用電極１２ａ〜１２ｃ，１３ａ〜１３ｃ及び可変領域用電極１６がプラス電位あるいはマイナス電位とされると、隔壁２１で囲まれた領域に収容された隔壁内液体２２が誘電性物質からなり、帯電性粒子２３がマイナス電位に帯電しているものであることから、図５（ａ）に示すように、帯電性粒子２３が隔壁内液体２２内をクーロン力で移動し、マイナス電位とされた固定領域用電極１２ａ〜１２ｃ及び可変領域用電極１６が形成された領域においては帯電性粒子２３が透明電極３２側に引き寄せられていき、また、プラス電位とされた固定領域用電極１３ａ〜１３ｃ及び可変領域用電極１６が形成された領域においては帯電性粒子２３が固定領域用電極１３ａ〜１３ｃ及び可変領域用電極１６側に引き寄せられていく。
【００３４】
そして、隔壁内液体２２が染料または顔料で着色されており、帯電性粒子２３が高屈折率の光散乱成分を含むため、固定領域用電極１３ａ〜１３ｃ及び可変領域用電極１６側に帯電性粒子２３が引き寄せられた領域が着色された状態に見え、また、透明電極３２側に帯電性粒子２３が引き寄せられた領域が白色に見える。
【００３５】
すると、固定領域２においては、固定領域用電極１２ａが分離パターン２ｂ及びクワイエットゾーン２ｄと略同一の形状を有し、固定領域用電極１２ｂが、位置検出パターン２ａにおいてセルドット４が表示される領域と略同一の形状を有し、固定領域用電極１２ｃが、タイミングパターン２ｃにおいてセルドット４と略同一の形状を有するものであるため、上述したように固定領域用電極１２ａ〜１２ｃが配置された領域が白色に見え、また、固定領域用電極１３ａ，１３ｂがそれぞれ、位置検出パターン２ａにおいてセルドット５が表示される領域と略同一の形状を有し、固定領域用電極１３ｃが、タイミングパターン２ｃにおいてセルドット５と略同一の形状を有するものであるため、上述したように固定領域用電極１３ａ〜１３ｃが配置された領域が着色された状態に見えることにより、透明導電膜基板３０を配線電極基板１０とは反対側から見た場合、図５（ｂ）に示すように、図１に示した二次元コード１の固定領域２が表現され、固定領域２において、位置検出パターン２ａ、分離パターン２ｂ、タイミングパターン２ｃ及びクワイエットゾーン２ｄが認識されることになる。
【００３６】
また、可変領域３においては、可変領域用電極１６の大きさが、図１に示した二次元コード１の可変領域３にて表示される１つのセルドット４，５と略同一の大きさとなっているため、可変領域３に配置された可変領域用電極１６のうち、二次元コード１にて表現する情報に応じたパターンで分布する白色のセルドット４に対応する領域に配置された可変領域用電極１６がマイナス電位とされるとともに、二次元コード１にて表現する情報に応じたパターンで分布する黒色のセルドット５に対応する領域に配置された可変領域用電極１６がプラス電位とされる。これにより、透明導電膜基板３０を配線電極基板１０とは反対側から見た場合、図５（ｂ）に示すように、図１に示した二次元コード１の可変領域３が表現され、可変領域３において情報が認識されることになる。なおこの際、可変領域３におけるセルドット４，５の分布パターンに応じて同一の電位とされる複数の可変領域用電極１６は、マトリックス状に配置されているが、その間隔は微小なものであるので、隣接する複数の可変領域用電極１６を同一の電位とした場合、微小間隔は認識されず、隣接する２つの可変領域用電極１６が同一電位とされた場合は、２つの可変領域用電極１６によって表示されるセルドット４，５が繋がって認識されることになる。
【００３７】
なお、本形態においては、固定領域２における固定領域用電極１３ａ，１３ｂが、配線１５ｂによって互いに接続された状態で接続端子１７ｂに接続されているが、この固定領域用電極１３ａ，１３ｂにおいても、接続端子１７ｂに個別に接続することも考えられる。
【００３８】
（第２の実施の形態）
図６は、本発明の二次元コード表示媒体の第２の実施の形態に用いられる配線電極基板の構成を示す図である。また、図７は、図６に示した配線電極基板１１０の詳細な構成を示す図であり、（ａ）は図６に示したＡ部拡大図、（ｂ）は（ａ）に示したＡ−Ａ’断面図である。なお、図６及び図７に示す配線電極基板１１０は、図１に示した二次元コード１を表示するための二次元コード表示媒体に用いられるものであり、図６（ａ）に示すＡ部以外の構成においても、固定領域２及び可変領域３について図７に示すものと同様の構成を有している。
【００３９】
本形態における配線電極基板は図６及び図７に示すように、第１の実施の形態にて示したものに対して、固定領域２にて黒色のセルドット５を表示するための全ての固定領域用電極１１３ａ〜１１３ｃが、スルーホール１１９を介してベース基板１１１の裏面に形成された配線（不図示）を介して互いに接続されている点のみが異なるものである。すなわち、固定領域用電極１１３ａ〜１１３ｃを互いに接続するための配線がベース基板１１１の表面に設けられていない点が異なるものである。
【００４０】
図１に示した二次元コード１においては、固定領域２において、黒色のセルドット５が表示される位置検出パターン２ａ及びタイミングパターン２ｃが、白色のセルドット４のみで表示されるクワイエットゾーン２ｄに囲まれた状態となっている。また、位置検出パターン２ａのみにおいても、黒色のセルドット５のみで表示される領域が白色のセルドット４のみで表示される領域に囲まれた状態となっている。そのため、このような二次元コード１を表示するためには、第１の実施の形態にて示したように、固定領域２において白色を表示するための固定領域用電極１２ａ，１２ｂの一部を切断しない限りは、固定領域２にて黒色のセルドット５を表示するための固定領域用電極１３ａ〜１３ｃを１つの配線に接続することができない。
【００４１】
本形態におけるベース基板１１１には、導通ホールとなるスルーホール１１９が形成されている。このスルーホール１１９は、ベース基板１１１の表面にて複数の固定領域用電極１１３ｃを接続する第１の配線１１５ｃ上と、固定領域用電極１１３ａ，１１３ｂ内と、接続端子１１７ｂに接続された配線１１５ａ上とに６つ形成され、ベース基板１１１の裏面に形成された第２の配線１１５ｄにてこれら６つのスルーホール１１９が互いに接続されている。
【００４２】
これにより、固定領域２にて黒色のセルドット５を表示するための固定領域用電極１１３ａ〜１１３ｃは、ベース基板１１１の表面に形成された配線１１５ｃと、ベース基板１１１の裏面に形成され、スルーホール１１９を介して配線１１５ａ，１１５ｃに接続された配線１１５ｄとによって互いに接続されており、それにより、図１に示したように、固定領域２において、黒色のセルドット５が表示される位置検出パターン２ａ及びタイミングパターン２ｃが、白色のセルドット４のみで表示されるクワイエットゾーン２ｄに囲まれた状態となっており、また、位置検出パターン２ａのみにおいても、黒色のセルドット５のみで表示される領域が白色のセルドット４のみで表示される領域に囲まれた状態となっている二次元コード１においても、固定領域２において白色を表示するための固定領域用電極１１２ａ〜１１２ｃを配線１１４ｂ，１１４ｃによって互いに接続した状態で１つの配線１１４ａに接続しながらも、固定領域２において白色を表示するための固定領域用電極１１２ａ，１１２ｂの一部を切断することなく、かつ、固定領域２において黒色のセルドット５を表示するための固定領域用電極１１３ａ〜１１３ｃにおいても１つの配線に接続することができる。それにより、固定領域２において黒色のセルドット５を表示するための固定領域用電極１１３ａ〜１１３ｃに接続された配線の数が減少し、固定領域用電極１１２ａ〜１１２ｃ，１１３ａ〜１１３ｃに接続された配線を形成しやすくすることができる。
【００４３】
上記のように構成された配線電極基板１１０は、第１の実施の形態に示したものと同様に、情報表示層２０及び透明導電膜基板３０が積層され、固定領域用電極１１２ａ〜１１２ｃがマイナス電位とされ、固定領域用電極１１３ａ〜１１３ｃがプラス電位とされ、可変領域用電極１１６が、可変領域３にて表現したい情報に応じてプラス電位またはマイナス電位とされることにより、図１に示した二次元コード１を表示することになる。
【００４４】
なお、上述した２つの実施の形態においては、図１に示した二次元コード１において、位置検出パターン２ａ、分離パターン２ｂ、タイミングパターン２ｃ及びクワイエットゾーン２ｄを固定領域２とし、この領域に固定領域用電極１２ａ〜１２ｃ，１３ａ〜１３ｃを配置したが、位置検出パターン２ａ、分離パターン２ｂ、タイミングパターン２ｃ及びクワイエットゾーン２ｄのうち、位置検出パターン２ａ、分離パターン２ｂ及びタイミングパターン２ｃを固定領域とし、クワイエットゾーン２ｄについては、対向する領域に固定領域用電極を配置せずに、透明基板３１上に白色のマスク印刷を施すことによって構成することも考えられる。その場合、可変領域３に配置された可変領域用電極１６に接続される配線を、スルーホールを介さずにベース基板１１，１１１の表面に形成することができる。
【００４５】
また、上述した２つの実施の形態におけるセルドット４，５の色は、互いに反転したものであってもよく、さらには、上述した白色及び黒色に限らず、赤色、青色、黄色等によるものであっても、二次元コードリーダにて読み取り可能なものであればよい。ただし、二次元コードリーダによる二次元コード１の読み取りは、光の反射等の関係で白色の読み取りにある程度の正確さを要するので、上述した２つの実施の形態に示したもののように、固定領域２における白色を、印刷ではなく可変領域３と同一の表示手段である情報表示層２０を用いた表示とすることにより、二次元コード１を構成するセルドット４，５のうち白色となるセルドットの色が固定領域２と可変領域３とで統一され、それにより、二次元コード１によって表現される情報を正確に認識することができるようになる。また、上述したような、赤色、青色、黄色等の２色以上の互いに異なる色相を有するセルドットを用いた場合、それらセルドットの配列順序によって情報を表現することも考えられる。この場合におけるセルドットの配列順序は、上述したような二次元コード１に対して、二次元コード１の端部からＸ方向またはＹ方向に順次セルドットの色相の色を読み取っていくことや、二次元コード１の角部から斜め方向にセルドットの色相の色を読み取っていくこと等、その設定によって任意に決めることができ、セルドットの分布パターンと組み合わせることにより、より多くの情報を表現することができるようになる。なお、情報表示層３０においては、隔壁２１とシール層２４とによって囲まれた複数の区画のそれぞれにおいて、帯電性粒子２３の移動によって２色のみが表現されることになるため、赤色、青色、黄色等の３色以上の互いに異なる色を有するセルドットを表現する場合は、情報表示層３０の帯電性粒子２３や隔壁内液体２２として区画毎に異なる色を有するものを用いることにより実現することとなる。
【００４６】
また、本発明のバーコード表示媒体にて表示されるバーコードは、図１に示したようなＱＲコードに限らず、ＰＤＦ４１７、ＤａｔａＭａｔｒｉｘ、Ｍａｘｉ  Ｃｏｄｅ等、固定領域と可変領域とを有するものであれば適用することができる。
【００４７】
また、本発明のバーコード表示媒体は、上述したように、隔壁内液体２２に分散した帯電性粒子２３が、表裏に生じた電位差によって移動して表示が切り替わる垂直型電気泳動方式のものに限らず、表裏の配置された電極間における相転移による２つの異なる分子配向を利用して表示を行うコレステリック液晶方式や、有機染料を電気的に可逆的に酸化／還元状態にすることにより発色させるエレクトロクロミック方式や、電子粉粒体を用いたものや、ＥＬ（Electro Luminescence）等、電圧印加によって表示が切り替わるものであれば適用することができる。
【符号の説明】
【００４８】
１    二次元コード
２    固定領域
２ａ    位置検出パターン
２ｂ    分離パターン
２ｃ    タイミングパターン
２ｄ    クワイエットゾーン
３    可変領域
４，５    セルドット
１０，１１０    配線電極基板
１１，１１１    ベース基板
１２ａ〜１２ｃ，１３ａ〜１３ｃ    固定領域用電極
１４ａ〜１４ｃ，１５ａ〜１５ｃ，１１４ａ〜１１４ｃ，１１５ａ，１１５ｃ，１１５ｄ    配線
１６，１１６    可変領域用電極
１７ａ〜１７ｃ，１１７ａ，１１７ｂ    接続端子
１１９    スルーホール
２０    情報表示層
２１    隔壁
２２    隔壁内液体
２３    帯電性粒子
２４    シール層
３０    透明導電膜基板
３１    透明基板
３２    透明電極
３３    マスク印刷
【図１】
2011076380.tif 000003
【図２】
2011076380.tif 000004
【図３】
2011076380.tif 000005
【図４】
2011076380.tif 000006
【図５】
2011076380.tif 000007
【図６】
2011076380.tif 000008
【図７】
2011076380.tif 000009